(57)【要約】【課題】本発明は、ラジオ受信機の選局における使い勝手を良くすることを目的とするものである。【解決手段】放送局からデータ放送、および放送番組を受信する受信部７ａと、この受信部７ａが取得したデータ放送からステーションリストを作成するリスト作成部９と、受信部７ａが受信する放送局の選局動作を受け付ける操作部１２が接続された制御部８とを有するラジオ受信機５であって、制御部８は、ステーションリストに受信可能な放送局が所定数以上あると、操作部１２が受け付けた選局動作により、ステーションリストから選択した放送局を受信部７ａに受信させ、制御部８は、ステーションリストに受信可能な放送局が所定数未満であると、操作部１２が受け付けた選局動作により、受信部７ａに周波数走査による受信をさせる構成とした。【選択図】図２
2013191961.tif 000002
【特許請求の範囲】
【請求項１】
放送局からデータ放送、および放送番組を受信する受信部と、この受信部が取得したデータ放送からステーションリストを作成するリスト作成部と、前記受信部が受信する放送局の選局動作を受け付ける操作部が接続された制御部とを有するラジオ受信機であって、
前記制御部は、前記ステーションリストに受信可能な放送局が所定数以上あると、前記操作部が受け付けた選局動作により、前記ステーションリストから選択した放送局を前記受信部に受信させ、
前記制御部は、前記ステーションリストの受信可能な放送局が所定数未満であると、前記操作部が受け付けた選局動作により、前記受信部に周波数走査による受信をさせるラジオ受信機。
【請求項２】
前記受信部をメインチューナのみで構成した請求項１に記載のラジオ受信機。
【請求項３】
前記リスト作成部は、データ放送を受信してからの時間を用いて、受信可能な放送局を選出する請求項１に記載のラジオ受信機。
【請求項４】
放送局からデータ放送、および放送番組を受信する受信部が取得したデータ放送からステーションリストを作成するステップと、
選局動作を受け付けるステップと、
前記ステーションリストに受信可能な放送局が所定数以上あると、前記ステーションリストから選択した放送局を前記受信部に受信させるステップと、
前記ステーションリストの受信可能な放送局が所定数未満であると、前記受信部に周波数走査による受信をさせるステップと、
をコンピュータに実行させるプログラム。
【発明の詳細な説明】
【技術分野】
【０００１】
本発明は、ラジオ受信機と、そのプログラムに関するものである。
【背景技術】
【０００２】
欧州においてＲＤＳ（Ｒａｄｉｏ  Ｄａｔａ  Ｓｙｓｔｅｍ）が広く利用されている。ＲＤＳとは、主にＦＭ放送を利用して放送局情報や交通情報を提供するデジタルデータ多重システムである。
【０００３】
このＲＤＳを受信するラジオ受信機として、放送局からデータ放送、および放送番組を受信する受信部と、この受信部が取得したデータ放送からステーションリストを作成するリスト作成部と、前記受信部が受信する放送局の選局動作を受け付ける操作部が接続された制御部とを有するものが知られている（例えば、下記特許文献１参照）。
【先行技術文献】
【特許文献】
【０００４】
【特許文献１】特開２０１１−１９０４１号公報
【発明の概要】
【発明が解決しようとする課題】
【０００５】
前記従来例においては、ステーションリストの更新に時間を要するため常に最新の状態としておくことが難しい。このような状況であるので、ステーションリストから放送局を選択した時、受信状態の良くない放送局である場合があり、非常に使い勝手の良くないものとなっていた。
【０００６】
特に、同時に複数の放送局を受信することのできない受信部である場合、つまり、メインチューナのみでサブチューナを持たない構成では、放送番組を聴取中にはステーションリストを更新することができない。よって、このような問題が顕著に現れるものとなっていた。
【０００７】
さらに、車載用のラジオ受信機では、移動しながら放送を受信するため、ステーションリストの情報と実際の放送状況とが異なることも多い。よって、ステーションリストから選局した放送局であっても、受信状態が悪いことがある。このような場合、選局までに時間が掛かったり、再操作するなどの手間が必要となっていた。
【０００８】
本発明は、ラジオ受信機の選局における使い勝手を良くすることを目的とするものである。
【課題を解決するための手段】
【０００９】
そしてこの目的を達成するために本発明のラジオ受信機は、放送局からデータ放送、および放送番組を受信する受信部と、この受信部が取得したデータ放送からステーションリストを作成するリスト作成部と、受信部が受信する放送局の選局動作を受け付ける操作部が接続された制御部とを有するラジオ受信機であって、制御部は、ステーションリストに受信可能な放送局が所定数以上あると、操作部が受け付けた選局動作により、ステーションリストから選択した放送局を受信部に受信させ、制御部は、ステーションリストに受信可能な放送局が所定数未満であると、操作部が受け付けた選局動作により、受信部に周波数走査による受信をさせる構成とし、これにより、所期の目的を達成するものである。
【発明の効果】
【００１０】
以上のように本発明の本発明のラジオ受信機は、放送局からデータ放送、および放送番組を受信する受信部と、この受信部が取得したデータ放送からステーションリストを作成するリスト作成部と、受信部が受信する放送局の選局動作を受け付ける操作部が接続された制御部とを有するラジオ受信機であって、制御部は、ステーションリストに受信可能な放送局が所定数以上あると、操作部が受け付けた選局動作により、ステーションリストから選択した放送局を受信部に受信させ、制御部は、ステーションリストに受信可能な放送局が所定数未満であると、操作部が受け付けた選局動作により、受信部に周波数走査による受信をさせる構成とし、これにより、所期の目的を達成するものである。
【００１１】
すなわち、本発明においては、ステーションリストに受信状態の良い放送局が多ければ、ステーションリストから選局し、そうでない場合は、周波数走査による受信状態の良い放送局を選局するものである。つまり、ユーザは、操作部へ同じ選局動作をするだけで、受信状態の良い放送局を選局することが可能となるのである。
【図面の簡単な説明】
【００１２】
【図１】本発明の実施の形態にかかるラジオ受信機を車両に搭載した状態を示す図
【図２】同ラジオ受信機の制御ブロック図
【図３】同ラジオ受信機のメモリ内容を示す図
【図４】同ラジオ受信機のメモリ内容を示す図
【図５】同ラジオ受信機のメモリ内容を示す図
【図６】同ラジオ受信機の動作フローチャート
【図７】同ラジオ受信機の表示状態を示す図
【図８】（ａ）同ラジオ受信機の表示状態を示す図（ｂ）同ラジオ受信機の表示状態を示す図（ｃ）同ラジオ受信機の表示状態を示す図（ｄ）同ラジオ受信機の表示状態を示す図
【発明を実施するための形態】
【００１３】
以下、本発明の実施形態を、図面を用いて説明する。
（実施の形態１）
図１において、車両１の車内２前方にはハンドル３が配置され、またハンドル３の左方にはオーディオ装置４が配置されている。このオーディオ装置４の一部として、本発明の実施形態におけるラジオ受信機５が構成されている。
【００１４】
図２は、本発明の実施形態におけるラジオ受信機５の内部構成を示すブロック図である。
【００１５】
ラジオ受信機５は、受信用アンテナ６が接続された受信部７ａ、復調分離部７ｂ、制御部８、リスト作成部９、内部メモリ１０、表示部１１、操作部１２を備えている。また、ラジオ受信機５には、アンプ１３、スピーカ１４が接続されている。
【００１６】
また、詳しくは後述するが、内部メモリ１０は、周波数学習テーブル１５、ＲＤＳ学習テーブル１６、及び受信候補局リスト１７を含む様に保存している。
【００１７】
次に、ラジオ受信機５の内部構成について詳しく説明する。
【００１８】
ラジオ受信部５は、受信用アンテナ６を介して、放送局情報を含むデジタルラジオ放送等を受信する。ここで、放送局情報とは、例えば、ＲＤＳ（Ｒａｄｉｏ  Ｄａｔａ  Ｓｙｓｔｅｍ）を利用したＲＤＳ局であれば、現在受信中の放送局から取得した放送局名データ（ＰＳＮ）、属性データ（ＴＰ／ＴＡ）、番組内容（ＰＴＹ）等である。
【００１９】
なお、本発明の実施形態のラジオ受信機５は、ＲＤＳ局ではない放送局（ｎｏｎ  ＲＤＳ局）も受信可能である。
【００２０】
受信部５は、ユーザが操作部１２を介して選局（選択）した受信チャンネルの放送局の放送信号を受信する。この受信された放送信号は、復調分離部７ｂに入力される。
【００２１】
復調分離部７ｂは、受信部７ａにより出力された放送信号を入力する。復調分離部７ｂは、入力された放送信号を復調する。復調分離部７ｂは、復調により、入力された放送信号から、放送番組のオーディオデータと放送局情報とに分離する。復調分離部７ｂは、オーディオデータ及び放送局情報をそれぞれ制御部８に出力する。
【００２２】
制御部８は、ラジオ受信機５に内蔵されるＣＰＵ（ｃｅｎｔｒａｌ  ｐｒｏｃｅｓｓｉｎｇ  ｕｎｉｔ）、ＲＯＭ（ｒｅａｄ  ｏｎｌｙ  ｍｅｍｏｒｙ）、ＲＡＭ（ｒａｎｄｏｍ  ａｃｃｅｓｓ  ｍｅｍｏｒｙ）などで構成され、ＲＯＭに記憶されたプログラムに従って、ラジオ受信機５の各部の動作を制御する。
【００２３】
例えば、制御部８は、ユーザの操作部１２の操作によってオーディオソースとしてデジタルラジオ放送が設定されたときには、ラジオ受信機５で放送（再生）可能な放送局のうち操作部１２のユーザ操作に応じて、受信部７ａが受信可能な受信チャンネルを設定する。
【００２４】
なお、オーディオソースに関する情報は、内部メモリ１０の一時保存テーブルに設定されている。具体的には、ユーザが操作部１２を用いてオーディオソースをラジオ放送に設定するための操作を行った場合、制御部８は、当該操作に応じて、オーディオソースをデジタルラジオ放送とする旨の情報を一時保存テーブルに書き込む。
【００２５】
また、ユーザが操作部１２を用いてオーディオソースをＣＤに設定するための操作を行った場合、制御部８は、当該操作に応じて、オーディオソースをＣＤとする旨の情報を一時保存テーブルに書き込む。
【００２６】
また、制御部８は、アンプ１３に、復調分離部７ｂが出力したオーディオデータが表す音声をスピーカ１４に出力させる。
【００２７】
アンプ１３には、制御部８により出力されたオーディオファイルを入力する。アンプ１３は、入力されたオーディオファイルに保存されたオーディオデータが表す音声（放送番組など）のレベルを増幅してスピーカ１４に出力する処理を行う。
【００２８】
スピーカ１４は、アンプ１３により増幅されたオーディオデータを出力する。
【００２９】
表示部１１は、例えばオーディオ装置４のＬＣＤ（ｌｉｑｕｉｄ  ｃｒｙｓｔａｌ  ｄｉｓｐｌａｙ）により構成され、制御部８の制御の下で、デジタルラジオ放送の受信が可能な放送局（ステーションリスト）、又は、放送番組情報などを表示する。
【００３０】
操作部１２は、図７に示すように、例えばオーディオ装置４の前面に設けられ、各種のボタン、方向キー、テンキー、若しくは表示部１１の上に配置されたタッチパネル等のハードウェア、又は、表示部１１に当該ボタン、方向キー、テンキー等の機能を有するソフトウェアキーボードが仮想的に表示されたソフトウェアで構成される。
【００３１】
また、操作部１２は、オーディオ装置４とは異なるリモートコントローラ端末からの操
作内容を含む操作信号を受信可能な受信部で構成されても良い。
【００３２】
内部メモリ１０には、図３、４、５に示す様に、周波数学習テーブル１５、ＲＤＳ学習テーブル１６及び受信候補局リスト１７が保存されている。なお、図示しないが、一時保存テーブルも保存されている。
【００３３】
図３に示す周波数学習テーブル１５は、ＦＭ全帯域において、全周波数（８７．５〜１０８．０）を１００ｋＨｚステップ毎にまとめた学習メモリである。１００ｋＨｚステップ毎にインデックスが付与され、過去の受信履歴、及び現在受信中の放送局〔周波数）の受信品質情報を有する。また、ＲＤＳ局の場合には、ＲＤＳ局の認識ＩＤ毎にまとめた図４のＲＤＳ学習テーブル１６とのリンク情報、およびＲＤＳデータをデコードした時点からの時間経過をカウントするＲＤＳタイマ値等から構成される。
【００３４】
図４に示すＲＤＳ学習テーブル１６は、周波数学習テーブル１５と同様に過去の受信履歴、及び現在受信中の放送局からデコードし取得したＲＤＳデータを認識ＩＤデータ（ＰＩ  ｃｏｄｅ）毎にまとめたものである。それぞれのデータは、放送局名データ（ＰＳＮ）、属性データ（ＴＰ／ＴＡ）、番組内容（ＰＴＹ）等から構成される。なお、各認識ＩＤデータは、図３の周波数学習テーブル１５とリンクしている。各認識ＩＤデータに複数の周波数が対応していることもあり、複数の周波数の受信履歴から受信品質の最良周波数を検索出来る仕組みとなっている。
【００３５】
図５に示す受信候補局リスト１７は、図３の周波数学習テーブル１５と図４のＲＤＳ学習テーブル１６から作成され、ある時点における、受信可能と判断されたＲＤＳ局、及びｎｏｎ  ＲＤＳ局をリストにしたものである。
【００３６】
次に、受信候補局リスト１７の作成手順について説明する。
【００３７】
まず、リスト作成部９は、図３の周波数学習テーブル１５より、閾値以上の受信品質を有する周波数を抽出し、ＲＤＳ局認識ＩＤとのリンクを持つ周波数とリンクの無い周波数に分ける。
【００３８】
前者については、ＲＤＳタイマ値が閾値未満のみに絞り込み、受信可能なＲＤＳ局のリストとして対象の認識ＩＤを確定する。なお、各認識ＩＤに対して受信周波数を確定する際に同一のＲＤＳ局認識ＩＤとのリンクを持つ周波数が複数ある場合には、受信品質が最良値のものを代表周波数として抽出する。そして、ＲＤＳ局の受信候補局リスト１７として確定し、例えば、ＲＤＳ認識ＩＤの順にソートし受信候補局リスト１７のメモリにＲＤＳ局の一覧として格納する。
【００３９】
続いて後者について、Ｎｏｎ  ＲＤＳ局候補局として周波数順にソートし、受信候補局リスト１７のＲＤＳ局一覧の次に格納する。この格納された各受信局に対しては、受信品質値、および周波数情報を有し、一方でＲＤＳ局の場合には、この他放送局名や属性データを合わせて格納する。
【００４０】
以上の構成において、図６を用いて、受信候補局リスト１７を用いたＵＰ方向のダイレクト選局の処理フローを説明する。
【００４１】
まず、操作部１２へのユーザのＵＰ方向のＳｅｅｋ（選局検索）操作により、処理を開始する。
【００４２】
ステップＳ１では、制御部８は、受信候補局リスト１７のＵＰ方向の選局を開始し、音
声出力をＭｕｔｅする。この時の表示部１１の表示例を図７と図８（ａ）に示す（例、現在受信局のＲＤＳ局認識ＩＤ  （ＰＩ  ｃｏｄｅ）  ＝  ０ｘＤ３６３）。なお、図７は、オーディオ装置４の正面図であり、図８（ａ）は、表示エリアのみを抜き出して示したものである。以降の表示例は、図８（ａ）のように表示エリアのみを抜き出して示す。
【００４３】
次に、制御部８は、受信候補局リスト１７の候補局数合計をカウントし、閾値以上の場合（ステップＳ２：Ｙｅｓ）、受信候補局リスト１７から現在局のＵＰ方向の次局をダイレクト選局動作に移行する（ステップＳ３、表示例：図８（ｂ））。制御部８は、閾値未満の場合（ステップＳ２：Ｎｏ）、周波数Ｓｅｅｋ  Ｕｐ動作に移行する（ステップＳ４、表示例：図８（ｃ））。次に、制御部８は、周波数Ｓｅｅｋ  Ｕｐ動作で選局できれば、処理を終了する（ステップＳ５）。
【００４４】
ステップＳ６では、制御部８は、検索した受信周波数の放送局の受信品質、ＲＤＳデータの受信状況をチェックする。制御部８は、この放送局が受信良好であれば、表示部１１に局名を表示し、音声出力を開始する（ステップＳ７、表示例：図８（ｄ））。その後、処理を終了する。
【００４５】
制御部８は、この放送局が受信良好でなければ、さらに次の局のダイレクト選局動作に移行する。
【００４６】
制御部８は、検索した受信周波数の放送局の受信品質、ＲＤＳデータの受信状況をチェックする。制御部８は、この放送局が受信良好であれば（ステップＳ９：Ｙｅｓ）、表示部１１に局名を表示し、音声出力を開始する（ステップＳ１０）。その後、処理を終了する。
【００４７】
制御部８は、この放送局が受信良好でなければ（ステップＳ９：Ｎｏ）、さらに次の局のダイレクト選局動作に移行するため、ステップＳ８へ戻る。このループをある程度繰り返し、例えば、一度検索した受信周波数を再度検索すると、受信不可として処理を終了する。
【００４８】
なお、ステップＳ８とステップＳ９を例えば２回繰り返すと、ステップＳ４の周波数Ｓｅｅｋ  Ｕｐ動作に移行するようにしてもよい。このようにすれば、何度もダイレクト選局動作を繰り返すことによりＭｕｔｅ時間が必要以上に長くなることを避けることができる。
【００４９】
また、周波数Ｓｅｅｋ  Ｕｐ動作をすれば、受信可能な放送局を見つけるまでの間に走査を行った周波数の放送局の受信状況を確認することが可能である。つまり、周波数Ｓｅｅｋ  Ｕｐ動作など周波数走査動作をする割合を増やせば、それに合わせて受信候補局リスト１７をより最新の状態に近づけることができる。
【００５０】
以上説明したように、本実施形態では、放送局からデータ放送、および放送番組を受信する受信部７ａと、この受信部７ａが取得したデータ放送からステーションリストを作成するリスト作成部９と、受信部７ａが受信する放送局の選局動作を受け付ける操作部１２が接続された制御部８とを有するラジオ受信機５であって、制御部８は、ステーションリストに受信可能な放送局が所定数以上あると、操作部１２が受け付けた選局動作により、ステーションリストから選択した放送局を受信部７ａに受信させ、制御部８は、ステーションリストに受信可能な放送局が所定数未満であると、操作部１２が受け付けた選局動作により、受信部７ａに周波数走査による受信をさせる構成とし、これにより、所期の目的を達成するものである。
【００５１】
すなわち、本発明においては、ステーションリストに受信状態の良い放送局が多ければ、ステーションリストから選局し、そうでない場合は、周波数走査による受信状態の良い放送局を選局するものである。つまり、ユーザは、操作部１２へ同じ選局動作をするだけで、受信状態の良い放送局を選局することが可能となるのである。
【産業上の利用可能性】
【００５２】
以上のように本発明のラジオ受信機は、放送局からデータ放送、および放送番組を受信する受信部と、この受信部が取得したデータ放送からステーションリストを作成するリスト作成部と、受信部が受信する放送局の選局動作を受け付ける操作部が接続された制御部とを有するラジオ受信機であって、制御部は、ステーションリストに受信可能な放送局が所定数以上あると、操作部が受け付けた選局動作により、ステーションリストから選択した放送局を受信部に受信させ、制御部は、ステーションリストに受信可能な放送局が所定数未満であると、操作部が受け付けた選局動作により、受信部に周波数走査による受信をさせる構成とし、これにより、所期の目的を達成するものである。
【００５３】
すなわち、本発明においては、車載用のオーディオ装置としての利用が期待される。
【符号の説明】
【００５４】
１  車両
２  車内
３  ハンドル
４  オーディオ装置
５  ラジオ受信機
６  受信用アンテナ
７ａ  受信部
７ｂ  復調分離部
８  制御部
９  リスト作成部
１０  内部メモリ
１１  表示部
１２  操作部
１３  アンプ
１４  スピーカ
１５  周波数学習テーブル
１６  ＲＤＳ学習テーブル
１７  受信候補局リスト
【図１】
2013191961.tif 000003
【図２】
2013191961.tif 000004
【図３】
2013191961.tif 000005
【図４】
2013191961.tif 000006
【図５】
2013191961.tif 000007
【図６】
2013191961.tif 000008
【図７】
2013191961.tif 000009
【図８】
2013191961.tif 000010